(57)【要約】【課題】蓋体に鍋内と連通する蒸気排出部を有する炊飯器において、おねばによる気泡の発生・成長を抑制し、炊飯器本体や蓋体、床面へのおねばの吹きこぼれをなくし、防汚性が高く、手入れ性の優れた炊飯器を提供する。【解決手段】炊飯器本体１内に着脱自在に収納した鍋２を鍋加熱部により加熱し、鍋２の開口部を閉塞する蓋体３を炊飯器本体１に開閉可能に取り付け、蓋体３に鍋２内と連通する蒸気孔１０を設ける。蓋体３内部の蒸気孔１０の近傍に、先端部にエッジを形成した気泡抑制部１１を設ける。【選択図】図１
2005168706.tif 000002
【特許請求の範囲】
【請求項１】
炊飯器本体と、この炊飯器本体内に着脱自在に収納した鍋と、前記鍋を加熱する鍋加熱部と、前記炊飯器本体に開閉可能に取り付け前記鍋の開口部を閉塞する蓋体とを備え、前記蓋体に前記鍋内と連通する蒸気排出部を設け、前記蓋体内部の蒸気排出部の近傍に、先端部にエッジを形成した気泡抑制部を設けた炊飯器。
【請求項２】
気泡抑制部は、先端部に形成したエッジに代えて、周方向に所定の間隔を隔てて複数の鋭端部を設けた請求項１記載の炊飯器。
【請求項３】
気泡抑制部は、先端部に形成したエッジに代えて、周方向に所定の間隔を隔てて複数のスリットを設けた請求項１または２記載の炊飯器。
【請求項４】
蓋体に複数の蒸気排出部を設け、前記蓋体内部の蒸気排出部の間に気泡抑制部を設けた請求項１〜３のいずれか１項に記載の炊飯器。
【請求項５】
蓋体に複数の蒸気排出部を設け、前記蓋体内部の蒸気排出部の最外周に気泡抑制部を設けた請求項１〜３のいずれか１項に記載の炊飯器。
【請求項６】
炊飯器本体と、この炊飯器本体内に着脱自在に収納した鍋と、前記鍋を加熱する鍋加熱部と、前記炊飯器本体に開閉可能に取り付け前記鍋の開口部を閉塞する蓋体とを備え、前記蓋体に前記鍋内と連通する蒸気排出部を設け、前記蓋体内部の蒸気排出部の近傍に、前記蒸気排出部を覆い、かつ蒸気筒とは一部開口を有する傾斜気泡抑制部を設けた炊飯器。
【発明の詳細な説明】
【技術分野】
【０００１】
本発明は、蓋体に鍋内と連通する蒸気排出部を有する炊飯器に関するものである。
【背景技術】
【０００２】
従来、この種の炊飯器は図９に示すように構成していた（例えば、特許文献１参照）。以下、その構成について説明する。
【０００３】
図９に示すように、炊飯器本体３１は、鍋３２を着脱自在に収納し、鍋３２を鍋加熱部（図示せず）により加熱する。蓋体３３は鍋３２の上面を開閉自在に覆うもので、ヒンジ軸３４にて支持し、この蓋体３３には、蓋体３３の内面を構成する蓋カバー３６の蒸気孔４１に蒸気筒４２を設け、蓋体３３の上面を構成する外蓋３５の下面の蒸気孔４０の周囲に筒状壁４３を設けている。
【０００４】
この筒状壁４３の周内に蒸気孔４０がある面４４と蒸気孔４０がない面４５を分断させるリブ４６を設け、蒸気筒４２は上下に貫通する貫通孔４７を形成し、この貫通孔４７の上面４８は蒸気孔４０がない面４５に位置し、かつリブ４６の下端４９より上に位置させる構成となっている。また、蒸気筒４２の下部に有底の溜り部５０を形成する構成となっている（例えば、特許文献１参照）。
【特許文献１】特開平５−２５３０５２号公報
【発明の開示】
【発明が解決しようとする課題】
【０００５】
しかしながら、このような従来の構成では、鍋３２内の蒸気圧が一定以上にならない代わりに、炊飯時に水量が多すぎた場合や、米を洗う頻度が少なくて米に付着した糠を充分に洗い落とさなかったときなどに、蒸気孔４０から煮汁（おねば）が飛び出して、蓋体３３の表面や床面に飛び散って周囲を汚すという問題があった。
【０００６】
おねばは、文字どおり粘度が高い液体のため、蒸気孔４０から飛び出した後、気泡となって大きく膨らむ。その気泡が一定の大きさになり、破裂するまでに含まれたおねば（粘性液体）の一定量が蓋体３３に設けた溜り部に溜まるが、そこの許容量を超えると、溜り部から溢れ出して蓋体３３より外側、すなわち炊飯器本体３１より下にたれ落ち、炊飯器本体３１や床を汚してふきこぼれとして問題になる。
【０００７】
また、米の種類や容量によってはおねばが出易いもので炊飯を行なった場合などに、有底の溜り部におねばが多量に溜まり、そのおねばの上面が蒸気筒と筒状壁の間に溜まった場合、ちょうど両者の間に堰をする形となり、鍋３２内の蒸気圧がそのままおねばに加わることになり、おねばを蒸気圧で一気に押し上げる状態となり、溢れたおねばを充分に溜めることができなくて、おねばが吹きこぼれてしまうことがあり、使用上問題があった。そして、おねばの溜り部に残ったおねばの洗浄なり、手入れもやりにくく、清潔性や衛生上も問題があり、メンテナンス上も問題があった。
【０００８】
本発明は上記従来の課題を解決するもので、おねばによる気泡の発生・成長を抑制し、炊飯器本体や蓋体、床面へのおねばの吹きこぼれをなくし、防汚性が高く、手入れ性の優れた炊飯器を提供することを目的としている。
【課題を解決するための手段】
【０００９】
本発明は上記目的を達成するために、炊飯器本体内に着脱自在に収納した鍋を鍋加熱部により加熱し、鍋の開口部を閉塞する蓋体を炊飯器本体に開閉可能に取り付け、蓋体に鍋内と連通する蒸気排出部を設け、蓋体内部の蒸気排出部の近傍に、先端部にエッジを形成した気泡抑制部を設けたものである。
【００１０】
これにより、蓋体内部の蒸気排出部の近傍に設けた気泡抑制部により、おねばにより形成される気泡が大きくなる前に気泡を破壊することで、おねばによる気泡の発生・成長を抑制することができて、炊飯器本体や蓋体、床面へのおねばの吹きこぼれをなくすることができ、防汚性が高く、手入れ性の優れた炊飯器を提供することができる。
【発明の効果】
【００１１】
本発明の炊飯器は、おねばによる気泡の発生・成長を抑制できて、炊飯器本体や蓋体、床面へのおねばの吹きこぼれをなくすることができ、防汚性が高く、手入れ性の優れた炊飯器を提供することができる。
【発明を実施するための最良の形態】
【００１２】
第１の発明は、炊飯器本体と、この炊飯器本体内に着脱自在に収納した鍋と、前記鍋を加熱する鍋加熱部と、前記炊飯器本体に開閉可能に取り付け前記鍋の開口部を閉塞する蓋体とを備え、前記蓋体に前記鍋内と連通する蒸気排出部を設け、前記蓋体内部の蒸気排出部の近傍に、先端部にエッジを形成した気泡抑制部を設けたものであり、鍋内で発生したおねばによる気泡が蓋体の内部を通過するときに、蒸気排出部の近傍に設けた気泡抑制部のエッジによって膨張を妨げられ、あるいは破壊されて、蒸気排出部より外におねばが出てこないように抑制することができ、おねばが炊飯器本体や蓋体、床面に吹きこぼれて汚さないようにおねばの蒸気排出部からの流出を抑制することができ、防汚性の優れた炊飯器を提供することができる。
【００１３】
また、炊飯時に発生するおねばに対して、蒸気排出部の周囲に形成した気泡抑制部の先端部に鋭利なエッジを形成することによって、おねばを鉛直方向に容易に滴下できて、粘性の高いおねばの溜りを防止することができ、おねばによる蒸気筒内部での閉塞を防止する機能を持たせることができる。これによって、通常炊飯時に蒸気排出部からおねばが吹き出すことがなくなり、蓋体や炊飯器本体、床面などを汚さないようにできる。
【００１４】
第２の発明は、上記第１の発明において、気泡抑制部は、先端部に形成したエッジに代えて、周方向に所定の間隔を隔てて複数の鋭端部を設けたものであり、鍋内で発生したおねばによる気泡が蓋体の内部を通過するときに、蒸気排出部の近傍に設けた気泡抑制部の鋭端部によって膨張を妨げられ、あるいは破壊されて、蒸気排出部より外に大量のおねばが出てこないように抑制することができ、おねばが炊飯器本体や蓋体、床面に吹きこぼれて汚さないようにおねばの蒸気排出部からの流出を抑制することができ、さらに防汚性の優れた炊飯器を提供することができる。
【００１５】
第３の発明は、上記第１または第２の発明において、気泡抑制部は、先端部に形成したエッジに代えて、周方向に所定の間隔を隔てて複数のスリットを設けたものであり、鍋内で発生したおねばによる気泡が蓋体の内部を通過するときに、蒸気排出部の近傍に設けた気泡抑制部のスリットによっておねばによる蒸気の気泡が小分割され、あるいは破壊されて、蒸気排出部より外におねばが押し出されないように抑制することができ、おねばが炊飯器本体や蓋体、床面に吹きこぼれて汚さないようにおねばの蒸気排出部からの流出を抑制することができ、さらに防汚性の優れた炊飯器を提供することができる。
【００１６】
第４の発明は、上記第１〜３のいずれか１つの発明において、蓋体に複数の蒸気排出部を設け、前記蓋体内部の蒸気排出部の間に気泡抑制部を設けたものであり、鍋内で発生したおねばによる気泡が蓋体の内部を通過するときに、複数の蒸気排出部の間に設けた気泡抑制部によって、複数の蒸気排出部を跨いで成長しようとする気泡の膨張を妨げ、あるいは破壊されて、蒸気排出部より外におねばが押し出されないように抑制することができ、おねばが炊飯器本体や蓋体、床面に吹きこぼれて汚さないようにおねばの蒸気排出部からの流出を抑制することができ、防汚性の優れた炊飯器を提供することができる。
【００１７】
第５の発明は、上記第１〜３のいずれか１つの発明において、蓋体に複数の蒸気排出部を設け、前記蓋体内部の蒸気排出部の最外周に気泡抑制部を設けたものであり、鍋内で発生したおねばによる気泡が蓋体の内部を通過するときに、蒸気排出部の最外周に設けた気泡抑制部によって、おねばが蒸気排出部がない空間から蒸気排出部がある空間への移動の際の抵抗により、その膨張が妨げられ、あるいは破壊されて、蒸気排出部より外におねばが押し出されないように抑制することができ、おねばが炊飯器本体や蓋体、床面に吹きこぼれて汚さないようにおねばの蒸気排出部からの流出を抑制することができ、防汚性の優れた炊飯器を提供することができる。
【００１８】
第６の発明は、炊飯器本体と、この炊飯器本体内に着脱自在に収納した鍋と、前記鍋を加熱する鍋加熱部と、前記炊飯器本体に開閉可能に取り付け前記鍋の開口部を閉塞する蓋体とを備え、前記蓋体に前記鍋内と連通する蒸気排出部を設け、前記蓋体内部の蒸気排出部の近傍に、前記蒸気排出部を覆い、かつ蒸気筒とは一部開口を有する傾斜気泡抑制部を設けたものであり、鍋内で発生したおねばによる気泡が蓋体の内部を通過するときに、蒸気排出部の近傍に設けた傾斜気泡抑制部と蒸気筒とで形成される小さい開口から、大きく広がる蒸気筒側に流れるときに起こる圧損によって、おねばによる蒸気の気泡が破壊されて、蒸気排出部より外におねばが押し出されないように抑制することができ、おねばが炊飯器本体や蓋体、床面に吹きこぼれて汚さないようにおねばの蒸気排出部からの流出を抑制することができ、さらに防汚性の優れた炊飯器を提供することができる。
【００１９】
以下、本発明の実施の形態について、図面を参照しながら説明する。なお、この実施の形態によって本発明が限定されるものではない。
【００２０】
（実施の形態１）
図１は、本発明の実施の形態１における炊飯器の一部切欠した断面図、図２は、同炊飯器の要部拡大断面図、図３（ａ）は同炊飯器の要部下面図、図３（ｂ）は同炊飯器の要部斜視図を示すものである。
【００２１】
図１および図２に示すように、炊飯器本体１は、内部に鍋２を着脱自在に収納し、鍋加熱部（図示せず）により鍋２を加熱するようにしている。蓋体３は鍋２の上面開口部を閉塞するもので、ヒンジ軸４にて炊飯機本体１に開閉可能に取り付けている。この蓋体３に、放熱板を構成する蓋カバー６を取り付け、この蓋カバー６に蒸気の排出をコントロールしてご飯の乾燥を防止する保湿キャップ７を取り付け、この保湿キャップ７から連通して外蓋５に蒸気筒８を設け、蒸気筒８に連接して蒸気筒パッキン９を設け、外蓋５に設けた蒸気孔（蒸気排出部）１０を通って外蓋５の外部に蒸気を排出する構成となっている。
【００２２】
蒸気孔１０は、図３に示すように、略円弧状に形成した２個の蒸気孔１０を同心円状に設け、蓋体３の内部の蒸気孔１０の近傍に、先端部にエッジを形成した略円筒状の気泡抑制部１１を設けている。
【００２３】
上記構成において動作、作用を説明する。鍋２内にご飯（図示せず）から発生した蒸気は、図２の矢印１２で示すように、保湿キャップ７の開口７ａを通して蒸気筒８に連接した蒸気筒パッキン９で構成された蒸気排出経路を経て、外蓋５に設けた蒸気孔１０から炊飯器本体１外に排出される。このとき、ご飯から発生した蒸気により押し上げられ、蒸気筒８内に存在する粘度の高いおねば１３により気泡１４が形成される。そして、この気泡１４は蒸気の圧力によって押し上げられ、蒸気孔１０を通って外蓋５の外部に向って流れようとする。
【００２４】
しかしながら、このとき、蒸気孔１０の蓋体３内部の近傍には、先端部にエッジ１１ａを形成した気泡抑制部１１を設けているため、気泡１４の膨張とともに押し広げられるおねば１３は、この気泡抑制部１１のエッジ１１ａにより気泡１４ａとともに破壊され、この蒸気孔１０の外に押出されることがなくなる。
【００２５】
したがって、おねば１３が外蓋５の凹部５ａから外へ流れてしまうこともなく、ふきこぼれとして炊飯器本体１より下にたれ落ちたり、蓋体３や床（図示せず）を汚してしまうことはなくなる。
【００２６】
また、この気泡抑制部１１のエッジ１１ａにより気泡１４とともに破壊されたおねば１３ａは、エッジ１１ａの先端を伝って滴下し、保湿キャップ７の開口７ａを通して鍋２側に還流されて、ふきこぼれを抑制することができる。
【００２７】
以上のように、本実施の形態においては、蓋体３に鍋２内と連通する蒸気孔１０を設け、蓋体３内部の蒸気孔１２の近傍に、先端部にエッジ１１ａを形成した気泡抑制部１１を設けたので、鍋２内で発生したおねばによる気泡が蓋体３の内部を通過するときに、蒸気孔１０の近傍に設けた気泡抑制部１１のエッジ１１ａによって膨張を妨げられ、あるいは破壊されて、蒸気孔１０より外におねばが出てこないように抑制することができ、おねばが炊飯器本体１や蓋体３、床面に吹きこぼれて汚さないようにおねばの蒸気孔１０からの流出を抑制することができ、防汚性の優れた炊飯器を提供することができる。
【００２８】
また、炊飯時に発生するおねばに対して、蒸気孔１０の周囲に形成した気泡抑制部１１の先端部に鋭利なエッジ１１ａを形成することによって、おねばを鉛直方向に容易に滴下できて、粘性の高いおねばの溜りを防止することができ、おねばによる蒸気筒８内部での閉塞を防止する機能を持たせることができる。これによって、通常炊飯時に蒸気孔１０からおねばが吹き出すことがなくなり、蓋体３や炊飯器本体１、床面などを汚さないようにできる。
【００２９】
（実施の形態２）
図４（ａ）は、本発明の実施の形態２における炊飯器の要部下面図、図４（ｂ）は同炊飯器の要部斜視図を示すものである。
【００３０】
図４に示すように、気泡抑制部１１は、蓋体３の内部の蒸気孔１０の近傍に略円筒状に設け、この気泡抑制部１１の先端の周方向に所定の間隔を隔てて複数の鋭端部１１ｂを設けている。他の構成は上記実施の形態１と同じである。
【００３１】
上記構成において動作、作用を説明する。なお、おねばによる気泡の発生・成長の過程は上記実施の形態１と同じであるので説明を省略する。
【００３２】
気泡抑制部１１の先端の周方向に所定の間隔を隔てて複数の鋭端部１１ｂを設けることにより、鍋２内で発生したおねば１３による気泡１４が蓋体３内を通過するときに、蒸気孔１０の近傍に設けた気泡抑制部１１によって蒸気の通過を制限して気泡１４の膨張が妨げられ、あるいは破壊されて、蒸気孔１０より外に大量のおねば１３が出てこないように抑制することができる。
【００３３】
また、粘性の高い液体により形成されるおねばの溜りを防止することができ、蒸気孔１０の近傍に形成した気泡抑制部１１の先端に、上記実施の形態１で説明したように、気泡抑制部１１と略平行に形成したエッジ１１ａは、この方向の破壊には有効に機能するが、おねばの粘度、発生量、炊飯量等の条件の違いにより、本実施の形態のように、気泡抑制部１１の先端の周方向に設けた鋭端部１１ｂについては、必ずしも有効とはならず、さらに略円周方向にも気泡の成長を阻害させる機能を持たせることが有効となってくる。
【００３４】
以上のように、本実施の形態においては、気泡抑制部１１は、周方向に所定の間隔を隔てて複数の鋭端部１１ｂを設けたので、鍋２内で発生したおねばによる気泡が蓋体３の内部を通過するときに、蒸気孔１０の近傍に設けた気泡抑制部１１の鋭端部１１ｂによって膨張を妨げられ、あるいは破壊されて、蒸気孔１０より外に大量のおねばが出てこないように抑制することができ、おねばが炊飯器本体１や蓋体３、床面に吹きこぼれて汚さないようにおねばの蒸気孔１０からの流出を抑制することができ、さらに防汚性の優れた炊飯器を提供することができる。
【００３５】
（実施の形態３）
図５（ａ）は、本発明の実施の形態３における炊飯器の要部下面図、図５（ｂ）は同炊飯器の要部斜視図を示すものである。
【００３６】
図５に示すように、気泡抑制部１１は、蓋体３の内部の蒸気孔１０の近傍に略円筒状に設け、この気泡抑制部１１の先端の周方向に所定の間隔を隔てて複数のスリット１１ｃを設けている。他の構成は上記実施の形態１と同じである。
【００３７】
上記構成において動作、作用を説明する。なお、おねばによる気泡の発生・成長の過程は上記実施の形態１と同じであるので説明を省略する。
【００３８】
気泡抑制部１１の先端の周方向に所定の間隔を隔てて複数のスリット１１ｃを設けることにより、鍋２内で発生したおねば１３による気泡１４が蓋体３内を通過するときに、蒸気孔１０近傍に設けた気泡抑制部１１の先端にあるスリット１１ｃによっておねば１３による蒸気の気泡１４が小分割され、あるいは破壊されて、蒸気孔１０より外におねば１３が押出されてこないように抑制することができる。
【００３９】
以上のように、本実施の形態においては、気泡抑制部１１の先端の周方向に所定の間隔を隔てて複数のスリット１１ｃを設けているので、鍋２内で発生したおねばによる気泡が蓋体３の内部を通過するときに、蒸気孔１０の近傍に設けた気泡抑制部１１のスリット１１ｃによっておねばによる蒸気の気泡が小分割され、あるいは破壊されて、蒸気孔１０より外におねばが押し出されないように抑制することができ、おねばが炊飯器本体１や蓋体３、床面に吹きこぼれて汚さないようにおねばの蒸気孔１０からの流出を抑制することができ、さらに防汚性の優れた炊飯器を提供することができる。
【００４０】
（実施の形態４）
図６（ａ）は、本発明の実施の形態４における炊飯器の要部下面図、図６（ｂ）は同炊飯器の要部斜視図を示すものである。
【００４１】
図６に示すように、蓋体３に複数の蒸気孔１０を設け、蓋体３内部の複数の蒸気孔１０の間に、先端部にエッジ１１ｄを形成した複数の気泡抑制部１１を配置している。他の構成は上記実施の形態１と同じである。
【００４２】
上記構成において動作、作用を説明する。なお、おねばによる気泡の発生・成長の過程は上記実施の形態１と同じであるので説明を省略する。
【００４３】
蓋体３内部の複数の蒸気孔１０の間に、先端部にエッジ１１ｄを形成した複数の気泡抑制部１１を配置することにより、鍋２内で発生したおねば１３による気泡１４がこの蓋体３内を通過するときに、複数の蒸気孔１０の間に設けた複数の気泡抑制部１１によって、第１の気泡抑制部から第２の気泡抑制部、第３の気泡抑制部へと順次、蒸気の通過を制限して気泡１４の通過、膨張を妨げられ、あるいは破壊されて、複数の蒸気孔１０より外に出てこようとする大量のおねば１３を徐々に減少させながら抑制することができる。
【００４４】
以上のように、本実施の形態においては、蓋体３に複数の蒸気孔１０を設け、蓋体３内部の蒸気孔１０の間に複数の気泡抑制部１１を設けたので、鍋２内で発生したおねばによる気泡が蓋体３の内部を通過するときに、複数の蒸気孔１０の間に設けた気泡抑制部１１によって、複数の蒸気孔１０を跨いで成長しようとする気泡の膨張を妨げ、あるいは破壊されて、蒸気孔１０より外におねばが押し出されないように抑制することができ、おねばが炊飯器本体１や蓋体３、床面に吹きこぼれて汚さないようにおねばの蒸気孔１０からの流出を抑制することができ、防汚性の優れた炊飯器を提供することができる。
【００４５】
（実施の形態５）
図７（ａ）は、本発明の実施の形態５における炊飯器の要部下面図、図７（ｂ）は同炊飯器の要部斜視図を示すものである。
【００４６】
図７に示すように、蓋体３に複数の蒸気孔１０を設け、蓋体３内部の蒸気孔１０の最外周に、先端部にエッジ１１ｅを形成した気泡抑制部１１を配置している。他の構成は上記実施の形態１と同じである。
【００４７】
上記構成において動作、作用を説明する。なお、おねばによる気泡の発生・成長の過程は上記実施の形態１と同じであるので説明を省略する。
【００４８】
蓋体３内部の蒸気孔１０の最外周に、先端部にエッジ１１ｅを形成した気泡抑制部１１を配置しているので、鍋２内で発生したおねば１３による気泡１４が蓋体３内を通過するときに、複数の蒸気孔１０の最外周に設けた気泡抑制部１１によって、蒸気の通過を制限して気泡１４の通過、膨張を一気に妨げ、あるいは破壊して、複数の蒸気孔１０より外に大量のおねば１３が一切出てこないように抑制することができる。
【００４９】
以上のように、本実施の形態によれば、蓋体３に複数の蒸気孔１０を設け、蓋体３内部の蒸気孔１０の最外周に気泡抑制部１１を設けたので、鍋２内で発生したおねばによる気泡が蓋体３の内部を通過するときに、蒸気孔１０の最外周に設けた気泡抑制部１１によって、おねばが蒸気孔１０がない空間から蒸気孔１０がある空間への移動の際の抵抗により、その膨張が妨げられ、あるいは破壊されて、蒸気孔１０より外におねばが押し出されないように抑制することができ、おねばが炊飯器本体１や蓋体３、床面に吹きこぼれて汚さないようにおねばの蒸気孔１０からの流出を抑制することができ、防汚性の優れた炊飯器を提供することができる。
【００５０】
（実施の形態６）
図８（ａ）は、本発明の実施の形態６における炊飯器の要部下面図、図８（ｂ）は同炊飯器の要部斜視図を示すものである。
【００５１】
図８に示すように、傾斜気泡抑制部１１ｆは、蓋体３に設けた蒸気孔１０の近傍に、投影面上蒸気孔１０を覆い、かつ、蒸気筒８の流入口側とは一部開口１１ｇを有するように設けている。他の構成は上記実施の形態１と同じである。
【００５２】
上記構成において動作、作用を説明する。なお、おねばによる気泡の発生・成長の過程は上記実施の形態１と同じであるので説明を省略する。
【００５３】
蓋体３に設けた蒸気孔１０の近傍に、投影面上蒸気孔１０を覆い、かつ、蒸気筒８の流入口側とは一部開口１１ｇを有するように傾斜気泡抑制部１１ｆを設けたことにより、鍋２内で発生したおねば１３による気泡１４が蓋体３内を通過するときに、蒸気孔１０近傍に設けた傾斜気泡抑制部１１ｆと蒸気筒８とで形成される小さい開口１１ｇから、大きく広がる蒸気筒８の蒸気孔１０側に流れるときに起こる圧損によって、おねば１３による蒸気の気泡１４が破壊されて、蒸気孔１０より外におねば１３が押出されてこないように抑制することができる。
【００５４】
以上のように、本実施の形態によれば、蓋体３内部の蒸気孔１０の近傍に、蒸気孔１０を覆い、かつ蒸気筒８とは一部開口１１ｇを有する傾斜気泡抑制部１１ｆを設けたので、鍋２内で発生したおねばによる気泡が蓋体３の内部を通過するときに、蒸気孔１０の近傍に設けた傾斜気泡抑制部１１ｆと蒸気筒８とで形成される小さい開口１１ｇから、大きく広がる蒸気筒８側に流れるときに起こる圧損によって、おねばによる蒸気の気泡が破壊されて、蒸気孔１０より外におねばが押し出されないように抑制することができ、おねばが炊飯器本体１や蓋体３、床面に吹きこぼれて汚さないようにおねばの蒸気孔からの流出を抑制することができ、さらに防汚性の優れた炊飯器を提供することができる。
【産業上の利用可能性】
【００５５】
以上のように、本発明にかかる炊飯器は、おねばによる気泡の発生・成長を抑制できて、炊飯器本体や蓋体、床面へのおねばの吹きこぼれをなくすることができ、防汚性が高く、手入れ性の優れた炊飯器を提供することができるので、蓋体に鍋内と連通する蒸気排出部を有する炊飯器として有用である。
【図面の簡単な説明】
【００５６】
【図１】本発明の実施の形態１における炊飯器の一部切欠した断面図
【図２】同炊飯器の要部拡大断面図
【図３】（ａ）同炊飯器の要部下面図（ｂ）同炊飯器の要部斜視図
【図４】（ａ）本発明の実施の形態２における炊飯器の要部下面図（ｂ）同炊飯器の要部斜視図
【図５】（ａ）本発明の実施の形態３における炊飯器の要部下面図（ｂ）同炊飯器の要部斜視図
【図６】（ａ）本発明の実施の形態４における炊飯器の要部下面図（ｂ）同炊飯器の要部斜視図
【図７】（ａ）本発明の実施の形態５における炊飯器の要部下面図（ｂ）同炊飯器の要部斜視図
【図８】（ａ）本発明の実施の形態６における炊飯器の要部下面図（ｂ）同炊飯器の要部斜視図
【図９】従来の炊飯器の一部切欠した断面図
【符号の説明】
【００５７】
１  炊飯器本体
２  鍋
３  蓋体
１０  蒸気孔（蒸気排出部）
１１  気泡抑制部
１１ａ  エッジ
【図１】
2005168706.tif 000003
【図２】
2005168706.tif 000004
【図３】
2005168706.tif 000005
【図４】
2005168706.tif 000006
【図５】
2005168706.tif 000007
【図６】
2005168706.tif 000008
【図７】
2005168706.tif 000009
【図８】
2005168706.tif 000010
【図９】
2005168706.tif 000011